(57)【要約】【課題】  すでに市場に出回っている雑誌等に新たに２次元コードを貼ることなく、容易に所望のＵＲＬを取得可能なＵＲＬ取得装置、中継装置及び通信端末装置、並びにＵＲＬ取得方法を提供すること。【解決手段】  携帯電話端末１００の撮像部１６にて、雑誌１のＡ会社のロゴマークである星印２を撮影し、ＵＲＬ検出部２０にてその撮像画像とＵＲＬ保存部２２に保存されている画像とのパターンマッチングを行って、一致する画像を検出することによってＵＲＬを取得する。一致しない場合、通信端末１００は、通信ネットワーク上に設けられているＵＲＬ変換装置８００に撮像画像を送り、ここで、ＵＲＬの割り出しを行うようにする。【選択図】  図１
2007026219.tif 000002
【特許請求の範囲】
【請求項１】
画像とＵＲＬとを対応付けて保存するＵＲＬ情報保存手段と、
入力された画像と前記ＵＲＬ情報保存手段に保存されている画像とのパターンマッチングを行い、前記パターンマッチングの結果、前記保存されている画像のうち、入力された画像と合致した画像に対応付けられているＵＲＬを、入力された画像に対応したＵＲＬとして検出するＵＲＬ検出手段と
を備えるＵＲＬ取得装置。
【請求項２】
請求項１に記載のＵＲＬ取得装置と通信回線を介して接続可能であると共に、通信端末装置とインターネットとの間を中継する中継装置であって、
前記通信端末装置から受信した画像を前記ＵＲＬ取得装置に入力し、前記ＵＲＬ取得装置において取得されたＵＲＬを受信するＵＲＬ取得装置接続手段と、
インターネットを介して前記取得されたＵＲＬにアクセスして情報を取得し、前記取得した情報を前記通信端末装置に送信する中継手段と
を備える中継装置。
【請求項３】
請求項２に記載の中継装置であって、
前記ＵＲＬ取得装置接続手段は、前記ＵＲＬ取得装置から、前記取得されたＵＲＬに対応付けて保存されている画像を取得し、
前記中継手段は、前記ＵＲＬにアクセスして取得した情報と共に、前記ＵＲＬ取得装置から取得した画像を前記通信端末装置に送信する中継装置。
【請求項４】
請求項２又は３に記載の中継装置であって、
前記中継手段は、前記ＵＲＬ取得装置において、前記通信端末装置から受信した画像に対応するＵＲＬが取得されなかった場合、前記通信端末装置に対して前記画像に対応したＵＲＬが取得されないことを示すメッセージを送信する中継装置。
【請求項５】
請求項２ないし４のいずれか一項に記載の中継装置と通信可能な通信端末装置であって、
画像を撮像する撮像手段と、
前記撮像した画像を、ＵＲＬにより指定される情報を取得する要求として前記中継装置に送信する通信手段と
を備える通信端末装置。
【請求項６】
請求項１に記載のＵＲＬ取得装置と、
画像を撮像する撮像手段と、
前記撮像した画像を、前記ＵＲＬ取得装置に入力する入力手段と、
前記ＵＲＬ取得装置により取得されたＵＲＬにアクセスして情報を取得する通信手段と
を備える通信端末装置。
【請求項７】
請求項６に記載の通信端末装置であって、
前記通信手段は、前記ＵＲＬ取得装置によりＵＲＬが取得されない場合に、外部のＵＲＬ取得装置に前記撮像された画像を送信する通信端末装置。
【請求項８】
入力された画像と、画像とＵＲＬとを対応付けて保存するＵＲＬ情報保存手段に保存されている画像とのパターンマッチングを行うステップと、
前記パターンマッチングの結果、前記保存されている画像のうち、入力された画像と合致した画像に対応付けられているＵＲＬを、入力された画像に対応したＵＲＬとして検出するステップと
を有するＵＲＬ取得方法。
【発明の詳細な説明】
【技術分野】
【０００１】
本発明は、ＵＲＬ取得装置、中継装置及び通信端末装置、並びにＵＲＬ取得方法に関する。
【背景技術】
【０００２】
近年、携帯電話などの携帯端末を用いたインターネットへのアクセスが一般的に行われている。携帯端末のユーザが、広告や雑誌などにのっているＵＲＬを参照して、インターネットへのアクセスを行う場合、携帯電話の操作キーを用いてＵＲＬを入力する必要があったが、パソコンなどと比べて操作キーが少なく、かつ小さいため、ＵＲＬの入力は面倒であった。
【０００３】
この課題を解決するために、ＵＲＬ情報が埋め込まれた２次元コードを広告などにのせておき、ユーザがその２次元コードを携帯端末に備えられた撮像装置で撮像し、撮像したコードからＵＲＬ情報を抽出して、そのＵＲＬのＨＰにアクセスする方法が提案されている（例えば、特許文献１および特許文献２参照）。
【０００４】
【特許文献１】特開２００３−２８１０１０号公報
【特許文献２】特開２００２−８２８５５号公報
【発明の開示】
【発明が解決しようとする課題】
【０００５】
しかしながら、上記の携帯端末装置を用いたシステムでは、既に市場に出回っている雑誌等は利用対象外であり、新システムを適用できず、また、適用できるようにするには新たに２次元コードを雑誌等に掲載する必要があった。
【０００６】
すなわち、このようなシステムは、２次元コードが掲載されている雑誌等が存在することを前提として機能するものであるため、２次元コードが付与されていない雑誌等は利用対象外となってしまい、利用上の制限が存在する。
【０００７】
本発明は、上記の事情に鑑みてなされたものであって、すでに市場に出回っている雑誌等に新たに２次元コードを貼ることなく、容易に所望のＵＲＬを取得可能なＵＲＬ取得装置、中継装置及び通信端末装置、並びにＵＲＬ取得方法を提供することを目的とする。
【課題を解決するための手段】
【０００８】
本発明は、第１に、画像とＵＲＬとを対応付けて保存するＵＲＬ情報保存手段と、入力された画像と前記ＵＲＬ情報保存手段に保存されている画像とのパターンマッチングを行い、前記パターンマッチングの結果、前記保存されている画像のうち、入力された画像と合致した画像に対応付けられているＵＲＬを、入力された画像に対応したＵＲＬとして検出するＵＲＬ検出手段とを備えるＵＲＬ取得装置が提供されるものである。
【０００９】
この構成により、２次元コードを用いることなく、雑誌等に掲載されている、商品や会社についての自他識別力を有する標章等の画像からＵＲＬを取得することができる。
【００１０】
本発明は、第２に、上記第１に記載のＵＲＬ取得装置と通信回線を介して接続可能であると共に、通信端末装置とインターネットとの間を中継する中継装置であって、前記通信端末装置から受信した画像を前記ＵＲＬ取得装置に入力し、前記ＵＲＬ取得装置において取得されたＵＲＬを受信するＵＲＬ取得装置接続手段と、インターネットを介して前記取得されたＵＲＬにアクセスして情報を取得し、前記取得した情報を前記通信端末装置に送信する中継手段とを備える中継装置が提供されるものである。
【００１１】
この構成により、通信端末装置にＵＲＬの入力を行うことなく、また、２次元バーコードを使用することなく、通信端末装置により要求されたウェブサイト等の情報を提供することができる。
【００１２】
本発明は、第３に、上記第２に記載の中継装置であって、前記ＵＲＬ取得装置接続手段は、前記ＵＲＬ取得装置から、前記取得されたＵＲＬに対応付けて保存されている画像を取得し、前記中継手段は、前記ＵＲＬにアクセスして取得した情報と共に、前記ＵＲＬ取得装置から取得した画像を前記通信端末装置に送信する。
【００１３】
この構成により、通信端末装置は、ＵＲＬに対応付けられている標章等の画像を取得することができる。
【００１４】
本発明は、第４に、上記第２又は第３に記載の中継装置であって、前記中継手段は、前記ＵＲＬ取得装置において、前記通信端末装置から受信した画像に対応するＵＲＬが取得されなかった場合、前記通信端末装置に対して前記画像に対応したＵＲＬが取得されないことを示すメッセージを送信する。
【００１５】
この構成により、通信端末装置の使用者は、送信した画像に対応したＵＲＬが取得されないことを把握することができる。
【００１６】
本発明は、第５に、上記第２ないし第４のいずれかに記載の中継装置と通信可能な通信端末装置であって、画像を撮像する撮像手段と、前記撮像した画像を、ＵＲＬにより指定される情報の取得要求として前記中継装置に送信する通信手段とを備える通信端末装置が提供されるものである。
【００１７】
この構成により、中継装置側で画像からＵＲＬに変換することで、通信端末装置にＵＲＬの入力を行うことなく、また、２次元バーコードを使用することなく、ＵＲＬにより指定されるウェブサイト等の情報を取得することができる。
【００１８】
本発明は、第６に、上記第１に記載のＵＲＬ取得装置と、画像を撮像する撮像手段と、前記撮像した画像を、前記ＵＲＬ取得装置に入力する入力手段と、前記ＵＲＬ取得装置により取得されたＵＲＬにアクセスして情報を取得する通信手段とを備える通信端末装置が提供されるものである。
【００１９】
この構成により、通信端末装置にＵＲＬの入力を行うことなく、また、２次元バーコードを使用することなく、撮像した画像からＵＲＬを取得し、ＵＲＬにより指定されるウェブサイト等の情報を取得することができる。
【００２０】
本発明は、第７に、上記第６に記載の通信端末装置であって、前記通信手段は、前記ＵＲＬ取得装置によりＵＲＬが取得されない場合に、外部のＵＲＬ取得装置に前記撮像された画像を送信する。
【００２１】
この構成により、通信端末装置が備えるＵＲＬ取得装置にて保存されていない標章等についても、ＵＲＬの取得を行うことができる。
【００２２】
本発明は、第８に、入力された画像と、画像とＵＲＬとを対応付けて保存するＵＲＬ情報保存手段に保存されている画像とのパターンマッチングを行うステップと、前記パターンマッチングの結果、前記保存されている画像のうち、入力された画像と合致した画像に対応付けられているＵＲＬを、入力された画像に対応したＵＲＬとして検出するステップとを有する。
【００２３】
この方法により、２次元コードを用いることなく、雑誌等に掲載されている、商品や会社についての自他識別力を有する標章等の画像からＵＲＬを取得することができる。
【発明の効果】
【００２４】
本発明によれば、すでに市場に出回っている雑誌等に新たに２次元コードを貼ることなく、容易に所望のＵＲＬを取得可能なＵＲＬ取得装置、中継装置及び通信端末装置、並びにＵＲＬ取得方法を提供することができる。
【発明を実施するための最良の形態】
【００２５】
はじめに、本発明の実施形態に係るＵＲＬ取得方法の概要について説明する。本発明の実施形態のＵＲＬ取得方法では、雑誌等に掲載されている、商品や会社の識別力（自他識別力）を有する標章（文字、図形、記号、立体的形状、若しくはこれらの結合、又は、これらと色彩との結合）を通信端末装置等で撮像して得られる撮像画像と予め保存されている画像とのパターンマッチングを行って、保存されている画像の中から一致するものを特定し、そして、その特定された画像に対応付けられているウェブサイトのアドレス情報を取得する。これによって、雑誌等に２次元コードが掲載されていなくても、会社のロゴやロゴマーク、商品のブランド名等を利用して、ウェブサイトのアドレス情報（ＵＲＬ等）の自動的な取得を行うことができる。以下、本発明の実施形態について、図面を参照して具体的に説明する。
【００２６】
（第１の実施形態）
図１は本発明の第１の実施形態に係る通信システムの概略を説明するブロック図である。図１に示すように、本実施形態の通信システムでは、携帯端末装置１００と、携帯端末装置１００と無線通信が可能な基地局装置２００ａ，２００ｂ（各々、無線アンテナＡＮ２ａ，ＡＮ２ｂを有する）と、基地局装置２００ａ，２００ｂと通信回線を介して接続され、基地局制御装置３００と、コアネットワーク４００と、ゲートウェイ５００と、インターネット６００と、コンテンツサーバ７００ａ，７００ｂと、ＵＲＬ変換装置８００とを備える。
【００２７】
ここで、携帯端末装置１００は通信端末装置の一例として機能するものであり、携帯電話装置や携帯情報端末（ＰＤＡ）等や、これらの携帯型の装置に限られず、通信機能を備える装置であればよい。
【００２８】
携帯端末装置１００は、基地局装置２００とＡＮ１を用いて無線通信を行う無線部１０と、無線部１０に接続された通信制御部１２と、通信制御部１２からの指示に応じて表示を行う表示部１４とを備える。また、画像を撮像する撮像手段の一例として機能する撮像部１６と、撮像部１６からの画像を処理する画像処理部１８と、画像処理部１８からの画像に基づいてＵＲＬ（ユニフォーム・リソース・ロケータ）を検出するＵＲＬ検出部２０と、ＵＲＬ検出部２０からのＵＲＬ情報保存部２２とを備える。更に、音声を拡声するスピーカ２４と、音声を集音するマイク２６と、使用者からの入力を受け付ける入力部２８とを備える。
【００２９】
無線部１０は、受信アンテナＡＮ１が受信した基地局装置２００からの無線信号を増幅、ダウンコンバートなどを行ってベースバンドの受信データを出力する。通信制御部１２は、携帯端末装置１００全体の動作を制御するもので、所定のプログラムによって動作するプロセッサを主体に構成され、受信データのベースバンド処理およびアプリケーション処理等を行う。そして、入力部２８からの指示に応じて、入力部２８からの指示に応じて、ＵＲＬ検出部２０によって取得されたＵＲＬにアクセスして情報を取得する。本実施形態において、無線部１０及び通信制御部１２は、通信手段の一例として機能する。
【００３０】
ＵＲＬ検出部２０はＵＲＬ検出手段の一例として機能するものであり、画像処理部１８から入力された画像とＵＲＬ情報保存部２２に保存されている画像とのパターンマッチングを行い、このパターンマッチングの結果、保存されている画像のうち、入力された画像と合致した画像に対応付けられているＵＲＬを、入力された画像に対応したＵＲＬとして検出する。
【００３１】
ＵＲＬ情報保存部２２はＵＲＬ情報保存手段の一例として機能し、画像とＵＲＬとを対応付けて保存する。ここで、ＵＲＬ情報保存部２２は、保存する画像として、例えば、ロゴやロゴマークなどの自他識別力ある標章等の画像の情報を保存する。また、ＵＲＬ検出部２０及びＵＲＬ情報保存部２２は、ＵＲＬ取得装置の一例として機能し、撮像された画像からＵＲＬを取得することができる。
【００３２】
入力部２８は、電話番号やＵＲＬの入力するためのテンキーや、ウェブサイトへのアクセス要求を行うウェブアクセスキーを有する。なお、ウェブアクセスキーは他のキーと兼用されてもよい。そして、入力部２８には、撮像部１６により撮像された画像からのＵＲＬ取得、又は撮像部１６により撮像された画像を用いたウェブサイトへのアクセス要求の指示が入力可能である。
【００３３】
図１に示すように、雑誌１に、Ａ会社の社名と、そのロゴマーク（星印とする）２が掲載されているものとする。携帯端末装置１００は、雑誌や商品等に記載された社名のロゴやロゴマーク等の自他識別力ある標章を撮像部１６で撮像し、画像処理部１８において画像の補正を行った後、ＵＲＬ検出部２０において、ＵＲＬ情報保存部２２に保存されている画像と撮像画像のパターンマッチングを行う。
【００３４】
ＵＲＬ情報保存部２２には、ロゴやロゴマークの画像情報とそれに対応するＵＲＬ情報が保存されており、パターンマッチングの結果が一致した場合、ＵＲＬ情報保存部２２からその画像情報に対するＵＲＬ情報が読み出され、通信制御部１２は、搭載しているＷｅｂブラウザ（不図示）を起動し、抽出されたＵＲＬで指定されたウェブサイトにアクセスして所望のウェブページを取得し、表示部１４に表示する。この構成により、市場に出回っている雑誌等に新たに２次元コードを貼付することなく、携帯端末装置１００のユーザが、容易に所望のウェブサイトにアクセスすることを可能とする。
【００３５】
基地局制御装置３００は、ＵＲＬ取得装置接続手段及び中継手段を有する中継装置の一例として機能し、ＵＲＬ変換装置８００と通信回線の一例としてのコアネットワーク４００を介して接続可能であると共に、携帯端末装置１００とインターネット６００及びインターネット６００に接続されたコンテンツサーバ７００ａ，７００ｂとの間を中継する。
【００３６】
ＵＲＬ変換装置８００は、メモリ８０２と、ＵＲＬ検出部８０４と、ＵＲＬ情報保存部８０６とを備える。メモリ８０２は、例えば、基地局制御装置３００からＵＲＬ検出用に送信された画像を一時的に記憶する。ＵＲＬ検出部８０４及びＵＲＬ情報保存部８０６はＵＲＬ取得装置の一例として動作し、それぞれ携帯端末装置１００に設けられたＵＲＬ検出部２０及びＵＲＬ情報保存部２２と同様の機能を有する。なお、ＵＲＬ変換装置８００には、携帯端末装置１００のような携帯性を考慮する必要がなければ、ＵＲＬ情報保存部８０６に比較的容量の大きな記憶媒体が適用可能である。したがって、携帯端末装置１００のＵＲＬ情報保存部２２と比較して多くの画像情報を保存することができる。
【００３７】
次に、本発明の第１の実施形態に係る通信システムの動作について説明する。図２及び図３は、本発明の第１の実施形態に係る通信方法を説明するフローチャートである。
【００３８】
携帯端末装置１００のユーザは、雑誌１（もしくは商品そのもの）に記されているロゴやロゴマークの標章（図１に示される星のマーク２）を撮像部１６で撮影する（ステップＳ１０１）。
【００３９】
ここで、入力部２８において、ウェブアクセスキーを押下する（ステップＳ１０２）。ウェブアクセスキーを押下すると、ＵＲＬ検出部２０は、ＵＲＬ情報保存部２２から画像情報を読みだし（ステップＳ１０３）、画像情報と撮像した画像とのパターンマッチングを行う（ステップＳ１０４）。
【００４０】
一致した場合（ステップＳ１０５のＮｏ）、ＵＲＬ検出部２０は、画像情報に対するＵＲＬをＵＲＬ情報保存部２２から読み出し、通信制御部１２は、無線部１０を介してＵＲＬを基地局装置２００（２００ａ又は２００ｂ）に送信する（ステップＳ１０６）。これにより、ウェブサイトの情報がコンテンツサーバ７００（７００ａ又は７００ｂ）からネットワーク（４００，５００，６００）を介して、携帯端末装置１００に送信され（ステップＳ１０７）、そのウェブサイト情報は、携帯端末装置１００の表示部１４上に表示される。このようにして、撮像した画像に基づいてＵＲＬを取得し、また、そのＵＲＬにより指定されるウェブサイトの情報を取得することができる。
【００４１】
ステップＳ１０５において不一致だった場合（ステップＳ１０５のＹｅｓ）、ＵＲＬ情報保存部２２に保存されている全ての画像情報とのパターンマッチングが完了するまで、ＵＲＬ情報保存部２２からの画像情報の読み出し、およびパターンマッチング処理を繰り返す（ステップＳ１０８）。
【００４２】
全ての画像情報とのパターンマッチングが完了しても一致する画像情報が無かった場合、ＵＲＬ検出部２０から通信制御部１２を介して、ウェブサイトの情報取得要求と共に撮像した画像が基地局装置２００に送信される（ステップＳ１０９）。
【００４３】
基地局制御装置３００は、携帯端末装置１００からの情報取得要求を受け、コアネットワーク４００に接続されたＵＲＬ変換装置８００に対して、携帯端末装置１００から送信された画像を転送する（ステップＳ１１０）。転送された画像は、ＵＲＬ変換装置８００内のメモリ８０２に保存される。さらに、基地局制御装置３００は、ＵＲＬ変換装置８００に対してパターンマッチング処理を指示する（ステップＳ１１１）。
【００４４】
ＵＲＬ変換装置８００のＵＲＬ検出部８０２は、携帯端末装置１００で行われたのと同様に、ＵＲＬ情報保存部８０６からの画像情報の読み出し（ステップＳ１１２）、パターンマッチング処理を実施する（ステップＳ１１３）。
【００４５】
パターンマッチングの結果、一致した場合（ステップＳ１１４のＮｏ）、ＵＲＬ検出部８０４は、一致が確認された画像情報に対応するＵＲＬをＵＲＬ情報保存部８０６から読み出し、そのＵＲＬを基地局制御装置３００に転送する（ステップＳ１１５）。基地局制御装置３００は、ゲートウェイ５００を介して、取得したＵＲＬをコンテンツサーバ７００（７００ａ又は７００ｂ）に送信する（ステップＳ１１６）。
【００４６】
そして、所望のＨＰ情報がコンテンツサーバ７００からネットワーク（６０，５００，４００）を介して、通信端末１００に送信され（ステップＳ１１７）、そのウェブサイト情報は、通信端末１００の表示部１４に表示される。
【００４７】
この際、基地局制御装置３００は、ウェブサイトの情報と併せて、取得したＵＲＬに対応付けられて、ＵＲＬ情報保存部８０６に保存されている画像を取得し、その画像及びＵＲＬ情報も携帯端末装置１００に送信してもよい。携帯端末装置１００は、このようにして送信された画像情報及びＵＲＬ情報を、ＵＲＬ情報保存部２２に保存する。こうすることで、次に同様のウェブサイトにアクセスする必要性が生じた場合、携帯端末装置１００内のパターンマッチングでウェブサイトのＵＲＬを取得できるようになる。
【００４８】
一方、ＵＲＬ検出部８０４におけるパターンマッチングの結果、不一致だった場合（ステップＳ１１４のｙｅｓ）、ＵＲＬ変換装置８００内のＵＲＬ情報保存部８０６に保存されている全ての画像情報とのパターンマッチングが完了するまで、ＵＲＬ情報保存部８０６からの画像情報の読み出し、およびパターンマッチング処理を繰り返す（ステップＳ１１８）。
【００４９】
全ての画像情報とのパターンマッチングが完了しても一致する画像情報が無かった場合（ステップＳ１１８のＹＥＳ）、ＵＲＬ検出部８０４は、基地局制御装置３００に対して、該当するＨＰがなかったことを示すメッセージを返す（ステップＳ１１９）。そのメッセージを受けた基地局制御装置３００は、該当するＵＲＬがないことを知らせるメッセージを携帯端末装置１００に送信する（ステップＳ１２０）。そして、携帯端末装置１００の表示部１４は、そのメッセージを表示する。
【００５０】
このような本発明の第１の実施形態によれば、２次元コードを用いることなく、雑誌等に掲載されている標章等の画像からＵＲＬを取得することができる。
【００５１】
なお、撮像部１０で撮像する対象としては、ロゴやロゴマークだけでなく、図や人物の顔や人形等であってもよい。
【００５２】
（第２の実施形態）
図４は、本発明の第２の実施形態に係る通信システムの概略を説明するブロック図である。同図において、第１の実施形態で説明した図１と重複する部分には同一の符号を付す。
【００５３】
図４に示すように、本実施形態の通信装置１１０には、ＵＲＬ検出部２０及びＵＲＬ情報保存部２２が設けられていない。すなわち、パターンマッチングによるＵＲＬ取得機能を有していない。そして、本実施形態では、通信端末１１０により撮像されて得られる撮像画像は、入力部２８からのＵＲＬ取得の要求やウェブアクセス要求に応じて、通信ネットワーク上に設けられているＵＲＬ変換装置８００に送られ、ここで、ＵＲＬの割り出し処理が行われる。すなわち、通信制御部１２は、撮像部１６により撮像された画像を、ＵＲＬにより指定されるウェブサイト等の情報を取得するウェブアクセス要求として基地局装置２００ａを介して基地局制御装置３００に送信する。
【００５４】
図５は、本発明の第２の実施形態に係る通信方法を説明するフローチャートである。図５において、図２と重複する部分は同一の符号を付す。
【００５５】
携帯端末装置１１０のユーザは、雑誌１（もしくは商品そのもの）に記されているロゴやロゴマークの標章（図１に示される星のマーク２）を撮像部１６で撮影する（ステップＳ１０１）。
【００５６】
ここで、入力部２８において、ウェブアクセスキーを押下する（ステップＳ１０２）。そして、ウェブアクセスキーの押下に応じて、通信制御部１２は、画像処理部１８で処理された、撮像部１６で撮像した画像を、ウェブサイトの情報取得要求と共に基地局装置２００に送信する（ステップＳ２０１）。そして、図３に示すステップＳ１１０〜Ｓ１２０が実行される。これにより、画像に基づいたＵＲＬの取得を、ＵＲＬ変換装置８００にて行うこととなるので、携帯端末装置１００におけるＵＲＬ取得機能のための処理負担の増加や、ＵＲＬ取得機能のための画像記憶容量を増加させる必要がない。
【００５７】
このような本発明の第２の実施形態によれば、２次元コードを用いることなく、また、携帯端末装置１１０の処理負担や記憶容量を増加させることなく、雑誌等に掲載されている標章等の画像からＵＲＬを取得することができる。
【産業上の利用可能性】
【００５８】
本発明のＵＲＬ取得装置、中継装置及び通信端末装置、並びにＵＲＬ取得方法は、すでに市場に出回っている雑誌等に新たに２次元コードを貼ることなく、容易に所望のＵＲＬを取得可能な効果を有し、携帯電話等の携帯端末装置を用いた通信システム等に有用である。
【図面の簡単な説明】
【００５９】
【図１】本発明の第１の実施形態に係る通信システムの概略を説明するブロック図
【図２】本発明の第１の実施形態に係る通信方法を説明するフローチャート
【図３】本発明の第１の実施形態に係る通信方法を説明するフローチャート
【図４】本発明の第２の実施形態に係る通信システムの概略を説明するブロック図
【図５】本発明の第２の実施形態に係る通信方法を説明するフローチャート
【符号の説明】
【００６０】
１  雑誌
２  ロゴマーク
１０  無線部
１２  通信制御部
１４  表示部
１６  撮像部
１８  画像処理部
２０  ＵＲＬ検出部
２２  ＵＲＬ情報保存部
２４  スピーカ
２６  マイク
２８  入力部
１００，１１０  携帯端末装置
２００ａ，２００ｂ  基地局装置
３００  基地局制御装置
４００  コアネットワーク
５００  ゲートウェイ
６００  インターネット
７００ａ，７００ｂ  コンテンツサーバ
８００  ＵＲＬ変換装置
８０２  メモリ
８０４  ＵＲＬ検出部
８０６  ＵＲＬ情報保存部
ＡＮ１，ＡＮ２ａ，ＡＮ２ｂ  無線アンテナ
【図１】
2007026219.tif 000003
【図２】
2007026219.tif 000004
【図３】
2007026219.tif 000005
【図４】
2007026219.tif 000006
【図５】
2007026219.tif 000007